(57)【特許請求の範囲】
【請求項１】
ユーザ情報が記録可能なユーザ情報記録エリアを備え、
該ユーザ情報記録エリアは、前記ユーザ情報の記録再生を妨げるプリ記録エリアを、再生専用記録媒体における再生制御情報が記録される記録エリア部分に対応する端部分に有することを特徴とする情報記録媒体。
【請求項２】
前記情報記録媒体は、前記ユーザ情報記録エリアに先行するリードインエリアと、前記ユーザ情報記録エリアに後続するリードアウトエリアとを更に備え、
前記端部分は、前記ユーザ情報記録エリアのうち、前記リードインエリア又は前記リードアウトエリアに隣接する部分であることを特徴とする請求の範囲第１項に記載の情報記録媒体。
【請求項３】
前記プリ記録エリアには、エンボスピットが予め形成されていることを特徴とする請求の範囲第１項に記載の情報記録媒体。
【請求項４】
前記プリ記録エリアには、記録用レーザの照射によるプリピットが予め形成されていることを特徴とする請求の範囲第１項に記載の情報記録媒体。
【請求項５】
前記ユーザ情報記録エリアの一部を構成する記録領域が夫々形成されると共に、相互に積層された複数の記録層を有し、前記ユーザ情報記録エリアの始端部分と終端部分とが、相異なる前記記録層における相対する領域に夫々配置されており、
前記プリ記録エリアが、前記終端部分に設定されていることを特徴とする請求の範囲第１項に記載の情報記録媒体。
【請求項６】
前記プリ記録エリアに、前記ユーザ情報記録エリアに記録された情報の再生を阻止するように機能する再生制限情報が書き込まれていることを特徴とする請求の範囲第１項に記載の情報記録媒体。
【請求項７】
前記再生制限情報は、所定の領域に記録された情報をループ再生させる制御情報を含むことを特徴とする請求の範囲第６項に記載の情報記録媒体。
【請求項８】
前記プリ記録エリアに、予め規定された再生終了エリアにジャンプして前記ユーザ情報記録エリアに記録された情報の再生を終了させる再生終了情報が書き込まれていることを特徴とする請求の範囲第１項に記載の情報記録媒体。
【請求項９】
前記プリ記録エリアに、前記ユーザ情報記録エリアに記録された情報の再生を禁止する旨を表示させる再生不可能告知情報が書き込まれていることを特徴とする請求の範囲第１項に記載の情報記録媒体。
【請求項１０】
前記プリ記録エリア、及び前記ユーザ情報記録エリア外の領域の少なくとも一方に、前記プリ記録エリアの再生期間及びそれ以前の期間、前記ユーザ情報記録エリアに記録された情報の走査指示を無効化する旨の走査禁止情報が書き込まれていることを特徴とする請求の範囲第１項に記載の情報記録媒体。
【請求項１１】
前記プリ記録エリアの開始アドレス及び終了アドレスは固定されていることを特徴とする請求の範囲第１項に記載の情報記録媒体。
【請求項１２】
ユーザ情報が記録可能なユーザ情報記録エリアを備え、該ユーザ情報記録エリアが、前記ユーザ情報の記録再生を妨げるプリ記録エリアを、再生専用記録媒体における再生制御情報が記録される記録エリア部分に対応する端部分に有する情報記録媒体に対して、記録すべき情報を記録する情報記録装置であって、
前記記録すべき情報を前記ユーザ情報記録エリアに書込可能な書込手段と、
前記プリ記録エリアのアドレス情報に基づいて、前記ユーザ情報記録エリアのうち前記プリ記録エリアを除いた領域に前記記録すべき情報を書き込むように前記書込手段を制御する制御手段と
を備えたことを特徴とする情報記録装置。
【請求項１３】
ユーザ情報が記録可能なユーザ情報記録エリアを備え、該ユーザ情報記録エリアが、前記ユーザ情報の記録再生を妨げるプリ記録エリアを、再生専用記録媒体における再生制御情報が記録される記録エリア部分に対応する端部分に有する情報記録媒体に対して、記録すべき情報を記録する情報記録方法であって、
前記プリ記録エリアのアドレス情報に基づいて、前記ユーザ情報記録エリアのうち前記プリ記録エリアを除いた領域に前記記録すべき情報を書き込む書込工程を含むことを特徴とする情報記録方法。
【請求項１４】
請求の範囲第１２項に記載の情報記録装置に備えられたコンピュータを制御するコンピュータプログラムであって、該コンピュータを、前記制御手段及び前記書込手段として機能させることを特徴とするコンピュータプログラム。
【発明の詳細な説明】
【技術分野】
【０００１】
本発明は、例えばＤＶＤ等の情報記録媒体、ＤＶＤレコーダ等の情報記録装置及び方法、並びにコンピュータプログラムの技術分野に関する。
【背景技術】
【０００２】
ＣＤ（Compact Disc）、ＤＶＤ等の情報記録媒体には、コンテンツ保護機能が組み込まれている。例えばＤＶＤフォーマットは、リードインエリアに暗号化キーに関する情報を書き込んでおくことで、記録コンテンツは暗号を復元できる再生装置でしか再生できないように構成されている。即ち、ＤＶＤビデオとＤＶＤ再生機器とが夫々に暗号を解除する「鍵（キー）」を持っており、その鍵が合致した場合だけスクランブルが解除され、映像を正常に再生できるように仕組まれている。【０００３】
但し、最近では、こうしたコンテンツを記録する再生専用のＤＶＤ（例えばＤＶＤ−Ｖｉｄｅｏ）だけでなく、一回のみ書き込み可能なＤＶＤ−Ｒ（Recordable）や繰り返し書き込み可能なＤＶＤ−ＲＷ（Rewritable）が市販されている。そのため、ＤＶＤ−Ｖｉｄｅｏ等から暗号化キー情報を含めたディスクデータ全般をＲＦ信号として読み取り、ＤＶＤ−ＲやＤＶＤ−ＲＷ等の他の記録媒体にハードコピーしてしまえば、元のＤＶＤから、コンテンツが違法に複製される。【０００４】
そのような不正コピー対策として、特許文献１には、ＤＶＤ−ＲＷ等の書き込み可能なＤＶＤのうち、ＤＶＤ−Ｖｉｄｅｏ等をコピーする際に暗号化キー情報が記録される領域をエンボス形成し、予め上書き不能とする技術が開示されている。この手法によれば、情報は暗号化キー情報を欠落させてコピーされるため、複製された情報の暗号を解読して正常に再生することは極めて難しい。【０００５】
【特許文献１】特開２０００−３３１４１２号公報
【発明の開示】
【発明が解決しようとする課題】
【０００６】
しかしながら、ＤＶＤ−Ｖｉｄｅｏ等に施された暗号が破られ、暗号が解かれた状態でコンテンツがＤＶＤ−ＲＷ等に書き込まれた場合には、暗号化キー情報とは無関係に再生が可能となるという技術的な問題がある。【０００７】
本発明は、例えば上記問題点に鑑みなされたものであり、より強固にコンテンツを保護することが可能な情報記録媒体、情報記録装置及び方法、並びにコンピュータプログラムを提供することを課題とする。
【課題を解決するための手段】
【０００８】
（情報記録媒体）
以下、本発明の情報記録媒体について説明する。【０００９】
本発明の情報記録媒体は上記課題を解決するために、ユーザ情報が記録可能なユーザ情報記録エリアを備え、該ユーザ情報記録エリアは、前記ユーザ情報の記録再生を妨げるプリ記録エリアを、再生専用記録媒体における再生制御情報が記録される記録エリア部分に対応する端部分に有する。【００１０】
本発明の情報記録媒体によれば、再生専用記録媒体の記録情報がユーザ情報記録エリアにコピーされる場合に、その記録情報における再生制御情報がコピーされるはずの領域がプリ記録エリアに該当する。ここに「再生制御情報」とは、例えば再生専用記録媒体における映像情報、音声情報等のコンテンツ情報の再生を制御するための制御情報を意味し、該コンテンツ情報を再生するために必要な情報である。そのため、上述の如きコピーを試みた場合には、プリ記録エリアにおいて再生制御情報の記録が禁止又は制限される。こうしてコピーされた記録情報は、再生制御情報が欠落しているために正常な再生が著しく困難となる。即ち、プリ記録エリアが、ユーザ情報記録エリアに対する記録再生を妨げるように機能し、再生専用記録媒体からコピーされた情報については、たとえ暗号が解かれた状態であっても再生が阻止される。【００１１】
また、ユーザ情報記録領域は、プリ記録エリア以外の部分にはユーザが自由に書き込み可能であることから、ユーザデータ容量の規格値を保障することが可能であり、プリ記録エリアに情報を記録しないようにすれば、通常の書き込み方式を大きく改変することなく記録することができる。【００１２】
更に、このようにプリ記録エリアをユーザ情報記録エリアの端部に寄せておくことにより、ユーザ情報記録エリアのうち実際に書き込み可能な領域が、物理的に連続する一つの領域にまとめられる。これはデータ管理上都合がよく、記録再生時の制御も比較的容易とすることができる。即ちユーザによる情報を記録する際に、プリ記録エリアの存在が邪魔になることは殆ど無い。【００１３】
従って、このようなプリ記録エリアを有する情報記録媒体では、互換性を維持しつつ、再生専用記録媒体に記録されたコンテンツを保護することが可能である。【００１４】
本発明の情報記録媒体の一態様では、前記情報記録媒体は、前記ユーザ情報記録エリアに先行するリードインエリアと、前記ユーザ情報記録エリアに後続するリードアウトエリアとを更に備え、前記端部分は、前記ユーザ情報記録エリアのうち、前記リードインエリア又は前記リードアウトエリアに隣接する部分である。
【００１５】
この態様によれば、プリ記録エリアは、ユーザ情報記録エリアの始端（即ち、リードインエリアと隣接する部分）、又はユーザ情報記録エリアの終端（即ち、リードアウトエリアと隣接する部分）に設定される。このようにプリ記録エリアを端に寄せておくと、データ管理上都合がよく、記録再生時の制御も比較的容易とすることが可能である。【００１６】
本発明の情報記録媒体の他の態様では、前記プリ記録エリアには、エンボスピットが予め形成されている。【００１７】
この態様によれば、プリ記録エリアは、領域内に予めエンボスピットが形成されることにより上書き不能とされる。よって、再生専用記録媒体からコピーされる記録情報のうち再生制御情報が、この情報記録媒体に書き込まれないようにすることができる。【００１８】
本発明の情報記録媒体の他の態様では、前記プリ記録エリアには、記録用レーザの照射によるプリピットが予め形成されている。【００１９】
この態様によれば、プリ記録エリアは、領域内にプリピットが予め形成されることにより上書き不能とされる。よって、再生専用記録媒体からコピーされる記録情報のうち再生制御情報が、この情報記録媒体に書き込まれないようにすることができる。尚、このようなプリピットは、例えば、レーザ光を照射することでの加熱などによる非可逆変化記録方式或いは破壊書込み方式で書き込まれる。【００２０】
本発明の情報記録媒体の他の態様では、前記ユーザ情報記録エリアの一部を構成する記録領域が夫々形成されると共に、相互に積層された複数の記録層を有し、前記ユーザ情報記録エリアの始端部分と終端部分とが、相異なる前記記録層における相対する領域に夫々配置されており、前記プリ記録エリアが、前記終端部分に設定されている。【００２１】
この態様によれば、まず、ユーザ情報記録エリアが複数の記録層に跨がって設けられ、その始端部分と終端部分とが、相異なる記録層における相対する領域に夫々配置されている。このような構成は、情報記録媒体が多層型の場合に採用される、記録トラックパスが相隣接する２層間で逆方向を向く“オポジット方式”において実現される。【００２２】
ユーザ情報記録エリアの読み出しは始端部分から開始されるが、再生専用記録媒体からコピーされた情報を読み出す場合には、再生制御情報を読み出す必要がある。このとき、ユーザ情報記録エリアの始端部分から、再生制御情報が記録されているはずの終端部分、即ちプリ記録エリアにジャンプして再生が行われるが、始端部分と終端部分とが記録層の積層方向に相対しているために、レーザ光の照射位置は層面方向に殆ど又は全く変えないで済むなど、この間のサーチ時間は短くて済む。【００２３】
本発明の情報記録媒体の他の態様では、前記プリ記録エリアに、前記ユーザ情報記録エリアに記録された情報の再生を阻止するように機能する再生制限情報が書き込まれている。【００２４】
この態様によれば、再生専用記録媒体からコピーされた情報の再生において、その情報の再生制御情報を利用すべく、再生制御情報が記録されているはずの領域、即ちプリ記録エリアから読み出しが行われる。その際、再生制御情報の代わりに再生制限情報が読み出され、再生制限情報に基づいてユーザ情報記録エリアからの再生が阻止される。【００２５】
よって、再生専用記録媒体からコピーされた情報の再生を、より確実に阻止することが可能となる。【００２６】
このプリ記録エリアに再生制限情報が書き込まれた態様では、前記再生制限情報が、所定の領域に記録された情報をループ再生させる制御情報を含むようにしてもよい。【００２７】
この場合、一旦プリ記録エリアが読み取られた後は、所定の領域でループ再生が行われるために、ユーザ情報記録エリア内の他の領域にジャンプして再生を続行することがすることができない。【００２８】
本発明の情報記録媒体の他の態様では、前記プリ記録エリアに、予め規定された再生終了エリアにジャンプして前記ユーザ情報記録エリアに記録された情報の再生を終了させる再生終了情報が書き込まれている。【００２９】
この態様によれば、再生専用記録媒体からコピーされた情報の再生において、再生制御情報を利用すべくプリ記録エリアが読み取られた後は、再生終了情報に基づいて、リードアウトエリア等の予め規定された再生終了エリアにジャンプして、ユーザ情報記録エリアからの再生が終了される。【００３０】
よって、再生専用記録媒体からコピーされた情報の再生を、より確実に阻止することが可能となる。【００３１】
本発明の情報記録媒体の他の態様では、前記プリ記録エリアに、前記ユーザ情報記録エリアに記録された情報の再生を禁止する旨を表示させる再生不可能告知情報が書き込まれている。【００３２】
この態様によれば、再生専用記録媒体からコピーされた情報の再生において、再生制御情報を利用すべくプリ記録エリアが読み取られた後は、上述したように、ユーザ情報記録エリアからの再生は終了されるが、それと共に、再生不可能告知情報に基づいて、ユーザ情報記録エリアに記録された情報の再生を禁止する旨が表示される。【００３３】
よって、ユーザに対し、この再生終了が再生装置の不具合によるものではなく、再生の対象が保護すべきコンテンツであることに起因することを知らせることができる。【００３４】
本発明の情報記録媒体の他の態様では、前記プリ記録エリア、及び前記ユーザ情報記録エリア外の領域の少なくとも一方に、前記プリ記録エリアの再生期間及びそれ以前の期間、前記ユーザ情報記録エリアに記録された情報の走査指示を無効化する旨の走査禁止情報が書き込まれている。【００３５】
この態様によれば、再生専用記録媒体からコピーされた情報の再生において、プリ記録エリアの再生期間及びそれ以前の期間におけるユーザ情報記録エリアに対する走査指示が、走査禁止情報に基づいて無効化される。即ち、上記期間中に再生装置に対して走査指示が入力され、現時点での読み取り位置から走査が開始されると、一部なりともコピーされた情報が再生されるおそれがあるが、ここでは、上記期間若しくはそれ以前に読み取られるように予め再生禁止情報が書き込まれているために、そうした事態が防止される。【００３６】
よって、再生専用記録媒体からコピーされた情報の再生を、より確実に阻止することが可能となる。【００３７】
本発明の情報記録媒体の他の態様では、前記プリ記録エリアの開始アドレス及び終了アドレスは固定されている。【００３８】
この態様によれば、プリ記録エリアの開始アドレス及び終了アドレスは、固定化された制御情報の一部として情報記録媒体に記録されたり、規格化されたりしている。そのため、プリ記録エリアの位置及び範囲を予め知ることができるため、通常の情報書き込みにおいて、誤ってプリ記録エリアにまで情報を書き込むような事態を未然防止することが可能である。【００３９】
また、再生専用記録媒体に記録するコンテンツの再生制御情報の記録位置及び範囲を、プリ記録エリアのアドレス情報に基づいて設定することにより、前述の原理に基づいて当該コンテンツの保護を担保することができる。【００４０】
（情報記録装置）
本発明の情報記録装置は上記課題を解決するために、ユーザ情報が記録可能なユーザ情報記録エリアを備え、該ユーザ情報記録エリアが、前記ユーザ情報の記録再生を妨げるプリ記録エリアを、再生専用記録媒体における再生制御情報が記録される記録エリア部分に対応する端部分に有する情報記録媒体に対して、記録すべき情報を記録する情報記録装置であって、前記記録すべき情報を前記ユーザ情報記録エリアに書込可能な書込手段と、前記プリ記録エリアのアドレス情報に基づいて、前記ユーザ情報記録エリアのうち前記プリ記録エリアを除いた領域に前記記録すべき情報を書き込むように前記書込手段を制御する制御手段とを備えている。【００４１】
本発明の情報記録装置によれば、本発明の情報記録媒体に対して適正に情報を記録することが可能である。【００４２】
ユーザ情報記録エリア内は、プリ記録エリアを除く領域が実質的な記録可能領域、即ちユーザが自由に書き込みできる領域である。本発明の情報記録媒体に情報を記録する場合には、プリ記録エリアに情報を書き込まないことが肝要である。そこで、書込手段により情報を書き込む際には、制御手段のプリ記録エリアのアドレス情報に基づく制御によって、ユーザ情報記録エリアのうちプリ記録エリアを除いた領域にだけ書き込むように書込手段は制御される。その際、利用するプリ記録エリアのアドレス情報は、既知の場合には制御手段内に予め記憶させておいてもよいし、情報記録媒体から読み取るようにしてもよい。【００４３】
尚、本発明の情報記録装置においても、上述した本発明の情報記録媒体についての各種態様に対応する態様を適宜採ることが可能である。【００４４】
（情報記録方法）
本発明の情報記録方法は上記課題を解決するために、ユーザ情報が記録可能なユーザ情報記録エリアを備え、該ユーザ情報記録エリアが、前記ユーザ情報の記録再生を妨げるプリ記録エリアを、再生専用記録媒体における再生制御情報が記録される記録エリア部分に対応する端部分に有する情報記録媒体に対して、記録すべき情報を記録する情報記録方法であって、前記プリ記録エリアのアドレス情報に基づいて、前記ユーザ情報記録エリアのうち前記プリ記録エリアを除いた領域に前記記録すべき情報を書き込む書込工程を含んでいる。【００４５】
本発明の情報記録方法は、上述した本発明の情報記録装置と同様の作用及び効果を奏する。尚、本発明は、上述した本発明の情報記録装置についての各種態様と同様の態様を適宜採ることが可能である。【００４６】
本発明のコンピュータプログラムは、上記課題を解決するために、本発明の情報記録装置に備えられたコンピュータを制御するコンピュータプログラムであって、該コンピュータを、前記制御手段及び前記書込手段として機能させる。
【００４７】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させる、或いは、当該コンピュータプログラムを、例えば通信手段等を介してコンピュータにダウンロードさせた上で実行させることで、上述した本発明の情報記録装置を比較的簡単に実現できる。【００４８】
尚、本発明のコンピュータプログラムも、上述した本発明の情報記録装置における各種態様に対応して各種態様を採ることが可能である。【００４９】
コンピュータ読取可能な媒体内のコンピュータプログラム製品は上記課題を解決するために、本発明の情報記録装置（但し、その各種態様を含む）に備えられたコンピュータにより実行可能なプログラム命令を明白に具現化し、該コンピュータを、前記制御手段及び前記書込手段の少なくとも一部として機能させる。【００５０】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記制御手段及び前記書込手段の少なくとも一部を比較的容易に実施可能となる。更に具体的には、当該コンピュータプログラム製品は、上述した本発明の前記制御手段及び前記書込手段の少なくとも一部として機能させるコンピュータ読取可能なコード（或いはコンピュータ読取可能な命令）から構成されてよい。【００５１】
以上説明したように、本発明の情報記録媒体によれば、ユーザ情報記録エリアの端部分にプリ記録エリアを有しているので、互換性を維持しつつ、再生専用記録媒体に記録されたコンテンツを保護することが可能である。【００５２】
本発明の情報記録装置によれば、書込手段及び制御手段を備えているので、本発明の情報記録媒体に対して適正に情報を記録することが可能である。【００５３】
また、本発明の情報記録方法によれば、書込工程を含んでいるので、本発明の情報記録媒体に対して適正に情報を記録することが可能である。【００５４】
また、本発明のコンピュータプログラムによれば、コンピュータを上述した本発明の情報記録装置として機能させるので、本発明の情報記録媒体に対して適正に情報を記録することが可能である。【００５５】
本発明のこのような作用及び他の利得は次に説明する実施例から明らかにされる。
【図面の簡単な説明】
【００５６】
【図１】本発明の第１実施例に係る情報記録媒体としての光ディスクの基本構造を示す概略平面図（ａ）及び、該光ディスクの概略断面図と、これに対応付けられた、その半径方向における記録領域構造の図式的概念図（ｂ）である。
【図２】本発明の第１実施例に係る光ディスクのデータ領域のレイアウトを示す概念的構成図、及び、光ディスクに対応するＲＯＭディスクのデータ領域のレイアウトを示す概念的構成図である。
【図３】本発明の第１実施例に係る光ディスクのデータ構造を示す概念的構成図、及び、光ディスクに対応するＲＯＭディスクのデータ構造を示す概念的構成図である。
【図４】本発明の第１実施例に係る光ディスクにおけるデータ読み出し手順を示す概念図、及び、光ディスクに対応するＲＯＭディスクのデータ読み出し手順を示す概念図である。
【図５】本発明の第１実施例に係るＲＯＭディスクにおける正規のコンテンツの再生動作手順を示すフローチャートである。
【図６】本発明の第１実施例に係る光ディスクにコピーされたコンテンツの再生動作手順を示すフローチャートである。
【図７】本発明の第１実施例に係る情報記録装置としての記録再生装置の構成を示すブロック図である。
【図８】本発明の第１実施例に係る記録再生装置による光ディスクに対する記録動作手順を示すフローチャートである。
【図９】本発明の第２実施例に係る光ディスクのデータ領域のレイアウトを示す概念的構成図、及び、この光ディスクに対応するＲＯＭディスクのデータ領域のレイアウトを示す概念的構成図である。
【符号の説明】
【００５７】
１００…光ディスク、２００…ＲＯＭディスク、１０１、２０１…リードインエリア、１０２、２０２…データエリア、１０３、２０３…リードアウトエリア、１０４、２０４…ミドルエリア、１０５…プリ記録エリア、１０６…透明基板、ＰＢ…ビデオ再生制御情報、ＦＳ…ファイルシステム。
【発明を実施するための最良の形態】
【００５８】
以下、本発明を実施するための最良の形態について実施例毎に順に図面に基づいて説明する。【００５９】
（第１実施例）
本発明に係る第１実施例について、図１から図６を参照して説明する。【００６０】
（光ディスクの構造）
先ず、図１を参照して、本発明の第１実施例に係る光ディスクの基本構造について説明する。図１（ａ）は、本発明の情報記録媒体の第１実施例に係る複数の記録領域を有する光ディスクの基本構造を示しており、図１（ｂ）は、該光ディスクの概略断面と、これに対応付けられた、その半径方向における記録領域構造を示している。【００６１】
図１（ａ）及び図１（ｂ）において、光ディスク１００は、例えばＤＶＤ−ＲやＤＶＤ−ＲＷのように一回又は繰り返し記録可能な情報記録媒体である。例えば直径１２ｃｍ程度のディスク本体は、記録層であるＬ０層及びＬ１層が透明基板１０６に積層されることで構成されている。Ｌ０層及びＬ１層の各記録面には、例えば、センターホール１を中心にスパイラル状或いは同心円状に、グルーブトラックやランドトラック等のトラック１０が設けられており、その中央には、本発明における「ユーザ情報記録エリア」の一例たるユーザデータエリア１０２が、外周側及び内周側を緩衝エリアで挟まれるように設定されている。緩衝エリアは、記録又は再生位置が基板外に外れることを防止する領域であり、ここでは、リードインエリア１０１、リードアウトエリア１０３及びミドルエリア１０４を指す。即ち、Ｌ０層の記録面は、内周側からリードインエリア１０１、ユーザデータエリア１０２及びミドルエリア１０４に区分されている。また、Ｌ１層の記録面は、内周側からリードアウトエリア１０３、ユーザデータエリア１０２及びミドルエリア１０４に区分されている。これらの各領域においては、アドレスが割り付けられたセクタ毎にデータが区分され、また１６セクタ毎に、エラー訂正処理の単位である１つのＥＣＣ（Error Correcting Code）ブロックを構成している。【００６２】
このような２層型の光ディスク１００では、図１（ｂ）中、透明基板１０６側から照射されるレーザ光ＬＢの集光位置をＬ０層又はＬ１層のいずれに合わせるかに応じて、一方の記録層を選択して記録再生を行うことができる。また、ここでは、２層型の光ディスク１００の記録又は再生手順として、Ｌ０層の内周側から外周側（即ち、リードインエリア１０１からミドルエリア１０４）、更にはＬ１層の外周側から内周側（即ち、ミドルエリア１０４からリードアウトエリア１０３）へと向かう方向に記録又は再生が行われるオポジット方式が採用されている。オポジット方式では、Ｌ０層の走査が終わり、Ｌ１層の走査が開始される時に、光ディスクの最外周にある光ピックアップを最内周へ移動させる必要はなく、Ｌ０層からＬ１層への焦点距離だけを切り換えればよいため、Ｌ０層からＬ１層への切り換え時間がパラレル方式と比較して短いという利点がある。【００６３】
リードインエリア１０１は、光ディスク１００の記録又は再生時に最初にアクセスされる領域であり、その内部には、スクランブルに用いる暗号化キー情報が記録されるリファレンスコード領域や、各種の制御情報が記録されるコントロールデータ領域が設定されている。【００６４】
ユーザデータエリア１０２は、記録すべきコンテンツに対応するデータを記録する領域である。記録すべきデータには、例えば、画像データや音声データ、或いはコンピュータで読み取り可能なプログラムデータ等がある。【００６５】
尚、本実施例では、ユーザデータエリア１０２のうちリードアウトエリア１０３に隣接する範囲に、プリ記録エリア１０５が設定されている。その詳細は後述するが、プリ記録エリア１０５は、光ディスク１００がＤＶＤ−ＲＷの場合はエンボスピットによって、ＤＶＤ−Ｒの場合は記録用レーザの照射によるプリピットによって、かかるプリ記録エリアへのユーザデータの記録再生を妨げる領域として予め形成される。【００６６】
リードアウトエリア１０３は、ユーザデータエリア１０２の記録又は再生における終端に後続する領域であり、リードアウトエリア１０３であることを示す情報が記録されている。更に、ミドルエリア１０４は、Ｌ０層及びＬ１層に対する記録又は再生位置が基板外へ外れることを防止する基本機能を有するが、層間ジャンプの際に記録又は再生位置が基板外に外れることを防止する、言わば“ジャンプ緩衝用エリア”として機能する。具体的には、Ｌ０層において、コンテンツ等の記録すべき情報が記録されると共に引き続いて、所定量の緩衝用データがＬ０層のミドルエリア１０４の一部に書き込まれる。そして、このＬ０層のミドルエリア１０４からＬ１層への層間ジャンプを経て、所定量の緩衝用データが、Ｌ１層のミドルエリア１０４の一部として書き込まれると共に引き続いて、Ｌ１層において、記録すべき情報が記録される。【００６７】
次に、図２から図６を参照して、光ディスク１００の特徴部分の構成及び作用について説明する。【００６８】
図２から図４はいずれも、本実施例に係る光ディスク１００を上側に、ＲＯＭディスク２００を下側に、互いに対応させて表している。図２は、各記録媒体におけるデータ領域のレイアウトを示している。尚、図２における記録層の配置は、図１（ｂ）とは上下が逆となっている。図３は、各記録媒体のデータ構造を、図４は、データ読み出しの手順を表している。図５及び図６は夫々、ＲＯＭディスク２００による正規のコンテンツ、及び光ディスク１００にコピーされたコンテンツの再生動作手順を示している。【００６９】
図２に示したように、光ディスク１００は、再生専用のＲＯＭ（Read Only Memory）ディスク２００と基本的構造を殆ど同様とされることで、互換性が維持されている。即ち、ＲＯＭディスク２００の記録領域は、光ディスク１００のリードインエリア１０１、ユーザデータエリア１０２、リードアウトエリア１０３及びミドルエリア１０４に夫々対応するリードインエリア２０１、ユーザデータエリア２０２、リードアウトエリア２０３及びミドルエリア２０４に区分されている。【００７０】
但し、ＲＯＭディスク２００には、予めユーザデータエリア２０２にコンテンツデータが記録されている。そして、コンテンツの実データの記録に伴い、ユーザデータエリア２０２の先頭の領域２０２ａには、ファイルシステムＦＳが書き込まれ、ユーザデータエリア２０２の最後尾の領域２０２ｃには、コンテンツ毎のビデオ再生制御情報ＰＢ１が書き込まれている。【００７１】
ユーザデータエリア２０２のコンテンツデータは、相対アドレスで書き込まれており、そのアドレス情報がビデオ再生制御情報ＰＢ１に含まれている。更に、各種データがどこに記録されているかといった格納情報は、ファイルシステムＦＳで管理されている。尚、ここで、ＲＯＭディスク２００が、本発明に係る「再生専用記録媒体」の一例であり、ビデオ再生制御情報ＰＢ１が、本発明に係る「再生制御情報」の一例である。【００７２】
これに対し、本実施例では、光ディスク１００のうち、ＲＯＭディスク２００におけるビデオ再生制御情報ＰＢ１の領域２０２ｃと対応する領域に、プリ記録エリア１０５が設定されている。ここで、プリ記録エリア１０５は、図示したように光ディスク１００内の8.535ＧBytesから8.544ＧBytesの間の領域に設定されている。そのため、ユーザデータエリア１０２は、四捨五入して8.54ＧBytes、つまり規格に準拠したサイズとなっている。【００７３】
このため、ＲＯＭディスク２００のコンテンツデータを光ディスク１００にデッドコピーする場合、ユーザデータエリア１０２には、ユーザデータエリア２０２のコピーデータがファイルシステムＦＳを先頭に領域１０２ａから書き込まれてゆくが、ユーザデータエリア１０２の実質的な記録領域はプリ記録エリア１０５の直前までであり、プリ記録エリア１０５以降は物理的に書き込み不能である。つまり、仮にハードコピー或いはデッドコピーを行ったとしても、この光ディスク１００には、ＲＯＭディスク２００のコンテンツは、プリ記録エリア１０５と対応する領域２０２ｃのデータ、即ちビデオ再生制御情報ＰＢ１がそっくり抜け落ちた状態でしか記録されないことになる。尚、本実施例では、プリ記録エリア１０５には、このプリ記録エリア１０５の情報をループ再生させる制御情報が書き込まれている。【００７４】
図３に示したデータ構造からは、こうしたビデオ再生制御情報ＰＢ１の記録領域２０２ｃとプリ記録エリア１０５との対応関係が一目で理解できる。【００７５】
（光ディスクにおける再生）
このような構成をとることにより、光ディスク１００における読み取り動作は、ＲＯＭディスク２００からコンテンツがコピーされた場合には以下のように行われる。【００７６】
先ず、ＲＯＭディスク２００における通常の再生は、再生装置上で図４及び図５に示した手順で行われる。尚、ここでは、ＲＯＭディスク２００をＤＶＤ−Ｖｉｄｅｏとし、再生装置もＤＶＤ再生可能な構成とする。この再生装置は、通常と同様に構成されてよく、その図示及び説明は省略する。尚、再生装置として、後述する記録再生装置３００（図７参照）と同様に構成され、ＲＯＭディスク２００に対応可能な記録再生装置を適用することもできる。【００７７】
再生装置では、例えばＲＯＭディスク２００の挿入をきっかけとして光ピックアップのフィーカス位置合わせ等のサーボ系処理がなされ、ＲＯＭディスク２００がローディングされる（ステップＳ１１）。次いで、ＲＯＭディスク２００のうちリードインエリア２０１から各種情報が読み出され、それに基づいて挿入ディスクのメディアの種類が判別される（ステップＳ１２）。ここではＤＶＤであることが判明しているので、引き続き領域２０２ａからファイルシステムＦＳが読み出され、チェックされる（ステップＳ１３）。このとき、コンテンツの先頭アドレス“Ａ”が取得される。【００７８】
ファイルシステムＦＳによって挿入ディスクのフォーマットがＤＶＤ−Ｖｉｄｅｏであることが判明すると、図４に示したユーザデータエリア２０２の最も先頭であり、アドレス“Ａ”で指定されるデータ領域２０２ｂのファイルがロードされる（ステップＳ１４）。このファイル内に格納されたパラメータがチェックされ（ステップＳ１５）、後述するリモコン制御のオフ状態を確定した（ステップＳ１６）後、更に先頭のファイルからコンテンツメニューがロードされ（ステップＳ１７）、再生装置にて表示される。次に、ユーザによるタイトル選択、指示により（ステップＳ１８）、再生装置において再生すべきコンテンツが確定される。【００７９】
次いで、再生すべきコンテンツの先頭アドレス“０”からデータが再生され（ステップＳ１９）、アドレス“０”に対応するナビパックが読み出される（ステップＳ２０）。そして、読み出したナビゲーション情報に応じ、ユーザデータエリア２０２のうちアドレス“Ｚ”で表される領域にジャンプして（ステップＳ２１）、アドレス“Ｚ”で指定される領域２０２ｃからデータ、即ちビデオ再生制御情報ＰＢ１が再生される（ステップＳ２２）。【００８０】
次に、このアドレス“Ｚ”に対応するナビパックが読み出される（ステップＳ２３）。再生対象とするデータのアドレスを表す変数Ｎを１に設定してから（ステップＳ２４）、ユーザデータエリア２０２のうちアドレス“Ｎ（即ち、１）”で表される領域にジャンプする（ステップＳ２５）。この時点で、変数Ｎのリモコン制御をオン状態とし（ステップＳ２６）、以下、アドレス“０”の次のアドレス“１”から、指定されたコンテンツ内のデータが順次再生される。即ち、アドレス“Ｎ”からデータが再生され（ステップＳ２７）、コンテンツ内のデータ再生がまだ終了していなければ（ステップＳ２８：Ｎｏ）、変数Ｎに１を加え（ステップＳ２９）、アドレス“Ｎ”で表される領域にジャンプして（ステップＳ３０）、コンテンツ全体のデータ再生が終了する（ステップＳ２８：Ｙｅｓ）まで、アドレス“Ｎ”からのデータ再生を繰り返す。尚、以上の動作からもわかるように、コンテンツデータのアドレス（０、１、…、Ｎ）は、相対アドレスとなっている。【００８１】
これに対し、図２ないし図３のように、ＲＯＭディスク２００のコンテンツデータがデッドコピーされた光ディスク１００における再生は、再生装置上で図４及び図６に示したような手順で行われる。【００８２】
この場合の再生装置における動作手順は、光ディスク１００から再生すべきコンテンツを選択、指定するまでは、上述のＲＯＭディスク２００の再生時と同様である。【００８３】
その後も同様にして、再生すべきコンテンツの先頭アドレス“０”からデータが再生され（ステップＳ１２０）、アドレス“０”に対応するナビパックが読み出される（ステップＳ１２１）。そして、読み出したナビゲーション情報に応じ、ユーザデータエリア２０２のうちアドレス“Ｚ”で表される領域にジャンプして（ステップＳ１２２）、アドレス“Ｚ”からデータが再生される（ステップＳ１２３）。【００８４】
アドレス“Ｚ”は、図４に示したように、プリ記録エリア１０５を指している。そのため、ビデオ再生制御情報ＰＢ１に代わって、プリ記録エリア１０５に予め書き込まれたデータが読み出され、それが、例えば、本発明に係る「再生制限情報」の一例である制御情報であれば、再生装置はその情報に従って以降の動作を行うことになる。【００８５】
ここで、光ディスク１００はオポジット方式で走査される（図２参照）ので、アドレス“Ｚ”の領域にジャンプする際にはレーザ光の照射位置は層面方向に殆ど又は全く変えないで済み、サーチ時間が短くて済む。【００８６】
プリ記録エリア１０５には、前述のように、プリ記録エリア１０５の情報をループ再生させる制御情報が書き込まれており、意図的にプリ記録エリア１０５で無限ループが形成される。即ち、アドレス“Ｚ”に対応するナビパックが読み出されると（ステップＳ１２４）、再生対象とするデータのアドレスを表すフラグ変数Ｎを１に設定してから（ステップＳ１２５）、再びアドレス“Ｚ”で表される領域にジャンプする（ステップＳ１２６）。以降は、強制終了されるまで一連のステップが繰り返される。その間、例えば再生装置には意味のない同一画面が表示される。【００８７】
その結果、この場合には、光ディスク１００からは実際に意味のあるコンテンツ再生が阻止される。また、本実施例では、ＲＯＭディスク２００から光ディスク１００にデッドコピーする場合に、コンテンツデータ自体が含むビデオ再生制御情報ＰＢ１を欠落させるようにしたので、コンテンツ全体の論理的に正常な再生が困難となる。実際のシーケンスでは、ビデオ再生制御情報ＰＢ１の読み出し以降は、正常な操作が困難となる。これは、デッドコピーされたコンテンツの暗号化操作に関わらず行われるため、コンテンツをより確実に保護できる。【００８８】
このように、光ディスク１００によれば、不正にコピーされたコンテンツの視聴が阻止され、延いては、不正コピーの防止にも寄与することから、より強固なコンテンツ保護を図ることができる。しかも、このような効果は、プリ記録エリア１０５を設けるだけで発揮される。【００８９】
また、本実施例では、プリ記録エリア１０５に、ビデオ再生制御情報ＰＢ１の代わりとして無限ループのプログラムデータを予め書き込んでおくようにしたので、ＲＯＭディスク２００からコンテンツがデッドコピーされた場合には、ＤＶＤ−Ｖｉｄｅｏのコンテンツシーケンスがプリ記録エリア１０５を利用した時点でコンテンツの実データにはアクセスできなくなる。よって、より確実にコピー後のコンテンツの再生を阻止することが可能となる。【００９０】
尚、ループの位置は、必ずしもプリ記録エリア１０５でなくともよく、例えばプリ記録エリア１０５から他の適当な領域にジャンプした後にループするようにしてもよい。【００９１】
或いは、プリ記録エリア１０５にリードアウトエリア１０３にジャンプする制御情報を予め書き込んでおき、ＤＶＤ−Ｖｉｄｅｏのコンテンツシーケンスがプリ記録エリア１０５を利用した時点で再生終了とするようにしてもよい。【００９２】
また、プリ記録エリア１０５が読み出される際に、例えば“このデータは再生できません”等の表示を行うように、プリ記録エリア１０５に予めその旨の制御情報を書き込んでおいてもよい。【００９３】
プリ記録エリア１０５に書き込む情報は、どのようなものであってもよく、上記の例の他にもいろいろ考えられる。但し、コンテンツ保護をより確実にするには、デッドコピーされたコンテンツの再生を阻止するように機能する制御情報等であることが好ましい。【００９４】
そのような制御情報は、プリ記録エリア１０５に限らず、リードインエリア１０１等のそれ以外の領域に書き込まれていてもよい。例えば、リードインエリア１０１の読み出しからプリ記録エリア１０５の読み出しまでの期間に、例えばリモコン等のキーを受け付けると、ユーザデータエリア１０２がスキャンされ、コンテンツが再生されてしまうことがある。そこで、これらの領域にフラグを設定し、上記読み出し動作期間中はキーを受け付けないようにする等の再生指示を無効化する制御情報を設定しておくとよい。【００９５】
更に、光ディスク１００及びＲＯＭディスク２００には２層型であるがオポジット方式が採用されているので、その記録再生は図２に矢印で示したように行われる。そのため、本実施例における光ディスク１００によれば、ユーザデータエリア１０２の先頭領域からプリ記録領域１０５までの物理的な距離が一層型ないしパラレル方式の場合に比べて短く、プリ記録領域１０５のサーチ時間が短くて済むという利点がある。【００９６】
尚、光ディスク１００におけるプリ記録エリア１０５の位置は、ＲＯＭディスク２００等のコピー防止対象の記録媒体における再生制御情報の記録位置との関係で決まる。そのため、両者の構成や記録再生方式、各領域のレイアウト等は、物理的又は論理的に対称であることが望ましく（図２及び図３参照）、互換性を維持することが可能である。ここでは、プリ記録エリア１０５をユーザデータエリア１０２の終端に設定したが、これは、通常の再生専用記録媒体では、ＲＯＭディスク２００のように、データ管理の観点から制御情報は大抵終端側に記録されることによる。プリ記録エリア１０５をできるだけユーザデータエリア１０２の端部に寄せることで、内部の記録領域を使いやすくすることができ、都合がよい。【００９７】
ところで、光ディスク１００がＤＶＤ−Ｒ又はＤＶＤ−Ｒ／Ｗの場合、容量の規格は8.54ＧBytesであるが、実際には8.544ＧBytesでも8.535ＧBytesでも規格内といえる（記録層が単層の場合は、4.70ＧBytesが規格値であり、4.704ＧBytesでも4.695ＧBytesでも規格内）。即ち、9ＭBytesの許容量がある。そこで、光ディスク１００のプリ記録エリア１０５の範囲を、8.535ＧBytes以降、8.544ＧBytes以内に収める一方で、例えばＤＶＤ−ＶｉｄｅｏたるＲＯＭディスク２００には、このデータ範囲にアクセスするように制御情報を記録しておけば、光ディスク１００のユーザ記録容量は8.54ＧBytesであり、同じく8.54ＧBytesのＤＶＤ−Ｖｉｄｅｏデータでアクセスが可能である。記録層が単層の場合も同様に、プリ記録エリアを規格容量のマージン内で設定すればよい。【００９８】
従って、この光ディスク１００では、互換性を維持しつつ、コンテンツ保護機能を発揮することができる。【００９９】
尚、光ディスク１００におけるプリ記録エリア１０５の位置及び範囲は、ＲＯＭディスク２００のビデオ再生制御情報ＰＢの記録位置及び記録範囲と連関している。即ち、保護対象とするコンテンツが記録された記録媒体（ここではＲＯＭディスク２００）が新たに作成される場合には、コンテンツ内のビデオ再生制御情報の位置及び範囲を、光ディスク１００に予め設定されたプリ記録エリア１０５の位置及び範囲に基づいて設定される。或いは、保護対象とするコンテンツが記録された記録媒体（ここではＲＯＭディスク２００）が既にある、もしくは、ビデオ再生制御情報の記録領域が予めわかっている場合には、そのビデオ再生制御情報が記録された領域２０２ｃの位置及び範囲に基づいて、光ディスク１００のプリ記録エリア１０５の位置及び範囲を設定してもよい。このように、本実施例の光ディスク１００は、ＲＯＭディスク２００と互いに対応関係にある場合に、上記効果を発揮することができる。【０１００】
（光ディスクにおける記録）
以上では光ディスク１００の不正コピーに関する側面について説明したが、光ディスク１００は、本来ユーザが自由にデータを書き込むための記録媒体であり、上記不正コピーとは別に適法なコピーについては正常に記録再生できることが求められている。この点について、光ディスク１００は、プリ記録エリア１０５を設けたこと以外、記録面に特別な作為はないことから、そのようなデータの記録再生は通常通り行うことが可能である。【０１０１】
但し、光ディスク１００では、プリ記録エリア１０５の分だけ、事実上の書き込み可能領域はＲＯＭディスク２００に比べて狭くなっている。そこで、この書き込み可能な領域の終端のアドレスを、これ以上は書き込まないようにLast Recordable Addressに規定し、そのアドレス情報を例えばリードインエリア１０１内に予め記録しておくか、規格値として固定しておけば、正常に書き込みがなされることが担保される。尚、この書き込み可能な領域、即ち実質的なユーザデータエリアの開始アドレス及び終了アドレスは、プリ記録エリア１０５の開始アドレス及び終了アドレスに基づいて求めることができる。【０１０２】
以下では、光ディスク１００に記録する具体的方法について、更に図７を参照して説明する。図７は、本実施例に係る記録再生装置の構成を示している。【０１０３】
（情報記録装置の構成）
図７における記録再生装置３００は、本発明の「情報記録装置」の一例として、ＣＰＵ（Central Processing Unit）の制御下で、本発明の「情報記録方法」に基づいて光ディスク１００に情報を記録すると共に光ディスク１００に記録された情報を読み取る機能を有している。この記録再生装置３００は、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。このうち、スピンドルモータ３５１、光ピックアップ３５２、信号記録再生手段３５３、ＣＰＵ（ドライブ制御手段）３５４及びメモリ３５５によって、ディスクドライブ（以下、適宜ドライブと称す）が構成されていてもよい。また、データ入出力制御手段３０６、操作制御手段３０７、操作ボタン３１０及び表示パネル３１１によって、ホストコンピュータ（以下、適宜ホストと称す）が構成されてもよい。或いは、ＣＰＵ（ドライブ制御手段）３５４及びバス３５７によって通信手段が構成されていてもよい。【０１０４】
スピンドルモータ３５１は、光ディスク１００を回転及び停止させる手段であり、光ディスク１００へのアクセス時に動作するように構成されている。より詳細には、スピンドルモータ３５１は、図示しないサーボユニット等によりスピンドルサーボを受けつつ所定速度で光ディスク１００を回転及び停止させるように構成されている。【０１０５】
光ピックアップ３５２は、光ディスク１００への記録再生を行う手段であり、半導体レーザ装置及びレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１０６】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Calibration）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。尚、信号記録再生手段３５３は、光ピックアップ３５２と共に、本発明に係る「書込手段」の一例を構成する。【０１０７】
メモリ３５５は、記録再生データのバッファ領域や、信号記録再生手段３５３で使用出来るデータに変換する時の中間バッファとして使用される領域など記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、映像データの圧縮伸張で用いるバッファやプログラム動作に必要な変数が格納されるＲＡＭ領域などから構成される。【０１０８】
ＣＰＵ（ドライブ制御手段）３５４は、記録再生装置３００全体の制御を行う手段であり、バス３５７を介して信号記録再生手段３５３及びメモリ３５５と接続され、各制御手段に指示を行うように構成されている。通常、ＣＰＵ３５４が動作するためのソフトウェア又はファームウェアは、メモリ３５５に格納されている。尚、ＣＰＵ３５４は、メモリ３５５と共に、本発明に係る「制御手段」の一例を構成する。【０１０９】
データ入出力制御手段３０６は、記録再生装置３００に対する外部からデータ入出力を制御し、メモリ３５５上のデータバッファへの格納及び取り出しを行うように構成されている。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１１０】
操作制御手段３０７は、操作ボタン３１０から記録再生装置３００に対する動作指示を受け付ける機能、及び、表示パネル３１１に表示データを送出する機能を有している。具体的には、記録又は再生といった操作ボタン３１０による指示をＣＰＵ３５４に伝達し、記録中や再生中といった記録再生装置３００の動作状態を表示パネル３１１に出力するように、図示しないＣＰＵ及びメモリ等によって構成されている。【０１１１】
このような記録再生装置３００は、例えば、映像を記録再生する家庭用レコーダ機器である。記録再生装置３００は、メモリ３５５に格納されたプログラムをＣＰＵ３５４で実行させることでレコーダ機器としての動作、即ち、放送受信チューナや外部接続端子からの映像信号をディスクに記録し、テレビジョン受像機などの外部表示装置にディスクから再生した映像信号を出力することができる。【０１１２】
（本発明の情報記録装置による記録動作の流れ）
次に、図２ないし図３に示した光ディスク１００の構造、図７及び図８を参照して、記録再生装置３００による光ディスク１００への記録動作について説明する。ここに図８は、本発明の情報記録方法の実施例として、記録再生装置３００による光ディスク１００に対する記録動作手順を示している。【０１１３】
光ディスク１００が装填されると（ステップＳ２０１）、ＣＰＵ３５４の制御下で、光ピックアップ３５２によりシーク動作が行われ、例えばＤＶＤ−Ｒ又はＲＷ等の光ディスクの種類が判別される（ステップＳ２０２）。より具体的には、コントロールデータゾーンに例えば、物理的に記録された管理情報内の“Book Type”の値によって判別される。【０１１４】
引き続き、光ディスク１００への記録処理に必要な各種管理情報が取得される（ステップＳ１０３）。この管理情報によって、記録済み領域のアドレス情報、記録層の数、並びに、記録層は、オポジットトラックパス、パラレルトラックパス又は単層であるかが識別される。【０１１５】
尚、ここでは特に、この管理情報によって、リードアウトエリアが予め形成されているか否か、プリ記録領域１０５はエンボスピット又は記録用レーザの照射によるプリピットのいずれであるか、並びに、プリ記録領域１０５の開始アドレス及び終了アドレスが識別される。但し、これらの識別情報は、仮に光ディスク１００の規格形態が定められている場合には予め取得可能であり、例えばメモリ３５５にライティングソフトウェアとは別に又はその一部として予め記憶されていてもよい。【０１１６】
続いて、光ディスクが排出されるか否かが判定される（ステップＳ２０４）。ここで、排出されない場合（ステップＳ２０４：Ｎｏ）、更に、ドライブにおいて、記録を開始するように指示されたか否かが判定される（ステップＳ２０５）。記録を開始するように指示された場合（ステップＳ２０５：Ｙｅｓ）、最適記録レーザパワーを検出するＯＰＣ処理が行われ（ステップＳ２０６）、その最適記録レーザパワーが検出可能であれば（ステップＳ２０７：Ｙｅｓ）、ＣＰＵ３５４の制御下で、Ｌ０層とＬ１層とに記録する情報量が算出され、Ｌ０層における折り返し点とＬ１層における対応アドレスが算出される（ステップＳ２０８）。その際、Ｌ１層における書き込み許容量は、書き込み可能な領域の終端のアドレス、即ちLast Recordable Addressに基づき算定される。このアドレスは、プリ記録エリア１０５の開始アドレスから割り出すことができる。【０１１７】
次に、Ｌ０層に記録すべき情報が有るか否かが判定される（ステップＳ２０９）。Ｌ０層に記録すべき情報が有る場合（ステップＳ２０９：Ｙｅｓ）、Ｌ０層に例えばセクタ単位又はＥＣＣブロック単位でデータの書き込みが行われる（ステップＳ２１０）。そして、Ｌ０層のミドルエリア１０４の一部に緩衝用データが書き足される（ステップＳ２１１）。更に、層間ジャンプを経て、Ｌ１層のミドルエリア１０４の一部として緩衝用データが書き足される（ステップＳ２１２）。【０１１８】
次に、Ｌ１層に記録すべき情報が有るか否かが判定される（ステップＳ２１３）。Ｌ１層に記録すべき情報が有る場合（ステップＳ２１３：Ｙｅｓ）、Ｌ１層において、例えばセクタ単位又はＥＣＣブロック単位で書き込みが行われる（ステップＳ２１４）。【０１１９】
本実施例では、上述のように、Ｌ１層に書き込むべきデータ量がLast Recordable Addressに基づいて予め定められているため、ここで誤ってプリ記録エリア１０５にまでデータを書き込むようなことが未然に防止されている。従って、光ディスク１００には、適正にデータが記録される。【０１２０】
その後は、通常通りの処理が行われる。まず、ユーザデータエリア１０２内のファイルシステム（ＦＳ）を更新すべきか否かが判定され（ステップＳ２１５）、更新すべき場合には（ステップＳ２１５：Ｙｅｓ）、ファイルシステムが更新される（ステップＳ２１６）。【０１２１】
続いて、ファイナライズ処理が開始され、リードインエリア１０１に管理情報等が記録され（ステップＳ２１７）、リードアウトエリア１０３に緩衝用データが書き足される（ステップＳ２１８）。そして、Ｌ０層のミドルエリア１０４の残りの一部に緩衝用データが書き足され（ステップＳ２１９）。そして、層間ジャンプを経て、Ｌ１層のミドルエリア１０４の残りの一部に緩衝用データが書き足される（ステップＳ２２０）。【０１２２】
以上より、一連のシーケンシャル記録は終了される。【０１２３】
（第２実施例）
次に、本発明の第２実施例について、図９を参照して説明する。【０１２４】
図９は、図２と対応しており、図中上側に配置された本実施例に係る光ディスク１１０と、これに対応する図中下側に配置されたＲＯＭディスク２１０との夫々におけるデータ領域のレイアウトを示している。尚、本実施例の光ディスク１１０において、第１実施例の光ディスク１００と同様の構成要素には同一の符号を付し、その説明を省略する。【０１２５】
図９において、光ディスク１１０は、基本的構造は光ディスク１００と同様であるが、プリ記録エリア１１５を、Ｌ０層のデータエリア１１２の終端、つまりミドルエリア１０４の直前の領域に設定している点で光ディスク１００と異なっている。プリ記録エリア１１５は、データ構造上は、コンテンツとコンテンツの間に設けられていることになるが、物理的構成上は、２層のうち片方の終端に設けられている。第１実施例と同様、プリ記録エリア１１５によってデータエリア１１２のコンテンツデータが分断されないので、データ管理上都合がよい。【０１２６】
このような光ディスク１１０は、図９に示したＲＯＭディスク２１０に対して、コンテンツ保護機能を発揮する。即ち、ＲＯＭディスク２１０は、プリ記録エリア１１５と対応するデータ領域２１２ｃに、ビデオ再生制御情報ＰＢ２が記録されている。尚、こうした構成のために、光ディスク１１０及びＲＯＭディスク２１０は、夫々、矢印で図示した手順で再生動作を行う。【０１２７】
その他の作用及び効果は、第１実施例と同様である。【０１２８】
以上、実施例を挙げて本発明について説明したが、本発明の情報記録媒体、情報記録装置及び方法、並びにコンピュータプログラムは、上述の実施例の他にも種々の変形実施が可能である。例えば、第1及び第2実施例では、プリ記録エリアの位置及び範囲を、ビデオ再生制御情報の記録領域の位置及び範囲と完全に対応させるようにしたが、プリ記録エリアの位置及び範囲を、光ディスクのうち、ビデオ再生制御情報の記録領域と対応する領域の少なくとも一部が含まれるように設定しても構わない。この場合、ビデオ再生制御情報は不完全な状態でしか取得できず、実施例と同様、コンテンツの再生を阻止することが可能である。【０１２９】
或いは、第1及び第2実施例では、プリ記録エリアをリードアウトエリアの直前に設定したが、リードインエリアの直後であってもよい。以上の説明からもわかるように、プリ記録エリアは、保護対象とするコンテンツの再生制御情報の位置及び範囲に対応して設定されているだけで原理的にはコンテンツ保護の目的を達成することが可能である。しかしながら、プリ記録エリアを例えばデータエリアの中央に設定すると、記録データがプリ記録エリアで分断される場合を考慮しなければならず、データ管理が煩雑になる等の弊害が考えられる。そこで、本発明では、プリ記録エリアを、データエリアの端部に設定するものとしている。【０１３０】
また、本発明の情報記録媒体におけるプリ記録エリアに対しての「上書き不能」とは、全く書き込めないことの他に、完全な再生ができない程度の物理的な書き換えがなされる場合をも含んでいる。【０１３１】
また、本発明の情報記録媒体においては、リードインエリア、リードアウト又はミドルエリアは、更に細分化された構成であってもよい。また、２層型の光ディスクの場合は、記録再生方式として、上述のオポジット方式以外にパラレル方式を採用してもよい。また、本発明の情報記録媒体は、２層片面、即ちデュアルレイヤーに限定されるものではなく、２層両面、即ちデュアルレイヤーダブルサイドであってもよい。更に、記録層は、上述の如く２層に限られることなく、単層或いは３層以上であってもよい。【０１３２】
上記実施例では、本発明の情報記録媒体の具体例として、２層型ＤＶＤ−Ｒ又はＤＶＤ−Ｒ／Ｗ等の光ディスクについて説明したが、本発明は、その他の種類の情報記録媒体、例えばブルーレイ（Blue-ray）ディスク等の大容量記録媒体などにも適用可能である。【０１３３】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びにコンピュータプログラムもまた本発明の技術的範囲に含まれるものである。
【産業上の利用可能性】
【０１３４】
本発明に係る情報記録媒体、情報記録装置及び方法、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004138837.tif 000002
【図２】
0004138837.tif 000003
【図３】
0004138837.tif 000004
【図４】
0004138837.tif 000005
【図５】
0004138837.tif 000006
【図６】
0004138837.tif 000007
【図７】
0004138837.tif 000008
【図８】
0004138837.tif 000009
【図９】
0004138837.tif 000010